【事件の表示】
　特願２００１−　５０１９０「画像読取装置および画像読取方法」拒絶査定に対する審判事件［平成１３年　８月１７日出願公開、特開２００１−２２３８５３］について、次のとおり審決する。
【結　論】
　本件審判の請求は、成り立たない。
【理　由】
１．手続きの経緯・本願発明
　本願は、平成３年２月２１日に出願した特願平３−２７１５３号の一部を平成１３年２月２６日に新たな特許出願としたものであって、その請求項１〜６に係る発明は、平成１４年８月６日付け及び平成１４年１０月３１日付けの手続補正によって補正された明細書及び図面の記載からみて、特許請求の範囲の請求項１〜６に記載されたとおりのものと認められるところ、請求項１に係る発明（以下、「本願発明」という。）は、次のとおりのものである。
　
　「【請求項１】被写体を照明する光源と、
　前記被写体像をラインセンサにより読み取る読み取り手段と、
　前記被写体像を読み取る変倍率に応じた移動速度で、前記読み取り手段を前記被写体像と相対的に移動させる移動手段と、
　前記読み取り手段が前記画像読み取り手段のホームポジションから第１の地点まで移動するとともに、その後前記被写体像先端の読み取り位置において前記変倍率に応じた所定の速度になるよう前記移動手段を制御する制御手段を有し、前記制御手段は第１の変倍率で走査する場合には該第１の変倍率に応じた第１の距離を計算し、前記第１の地点は前記被写体像先端の読み取り位置から前記第１の距離を差し引いた地点であることを特徴とする画像読み取り装置。」
　
２．引用刊行物
（引用例１）
　これに対して、原審の拒絶の理由で引用した　特開昭６４−２４２７２号公報（昭和６４年１月２６日出願公開）（以下、「引用例１」という。）には、図面と共に次の各記載がある。
　
（ア）「感光体ドラム６の露光点ａに原稿の像を結ぶための光学系は４個の反射ミラー１３〜１６，レンズ１７を含み、スキャナ（原稿スキャナ）はミラー１３〜１５、原稿を照射する光源（不図示）および遮光板１８で構成されている。遮光板１８は複写機本体１の左側上方部に配置されているホームポジションセンサ１９ａ，１９ｂ，１９ｃを横切ることができ、この遮光板１８がホームポジションセンサを横切ったときに後述するカウンタがスタートする。」（第３頁上右欄第１〜１０行。）
　
（イ）「スキャナの駆動はモータによって行われ、モータの回転軸には図示しないロータリーエンコーダが取り付けられている。ロータリーエンコーダはスキャナが一定距離進む毎にパルスを一発発生する。カウンタはこのロータリーエンコーダからのパルスを計数し、このスキャナの移動距離を知る。図のＡ点は原稿の先端位置を示している。スキャナの移動速度をここではＮＦとし、また感光体ドラムの周速をＮＤとしている。倍率の変更は、レンズ１７のズーム調節とスキャナの移動速度ＮＦと感光体ドラム６の周速ＮＤとの速度比を変えることによって行う。倍率が等倍であればＮＤ／ＮＦ＝１となる。倍率が縮小の０．６４倍ではＮＤ／ＮＦ＝０．６４となり、拡大の１．４１倍であれば，ＮＤ／ＮＦ＝１．４１となる。感光体ドラム６の周速ＮＤは通常一定速度に保たれるから、上記の速度比を出すのにスキャナの移動速度を変えるようにする。すなわち０．６４倍のときにはＮＦ＝ＮＤ／０．６４となり、１．４１倍のときにはＮＦ＝ＮＤ／１．４１となる。」（第３頁上右欄第１１〜同頁下左欄１０行）
　
（ウ）「ここで前記ホームポジションセンサ１９ａ，１９ｂ，１９ｃは原稿先端位置Ａから近い位置からこの順番で設けられており、ホームポジションセンサ１９ａは等倍または拡大複写時のホームポジションに設けられ、ホームポジションセンサ１９ｂ，１９ｃはそれぞれ１．０倍〜０．８倍、０．８倍以下の縮小複写時のホームポジションに設けられている。ホームポジションセンサはスキャナが自分よりもリターン側にあるときオンしスキャン側にあるときオフするようにされている。これらのホームポジションセンサ１９ａ，１９ｂ，１９ｃと原稿先端位置との距離（助走距離）をそれぞれ（ＰＳＣ−Ａ）、（ＰＳＣ−Ａ）'、（ＰＳＣ−Ａ）とする。このうち、（ＰＳＣ−Ａ）は生産時にシミュレーション機能を用いて係員によって入力される。すなわち、ホームポジションセンサ１９ａがこの発明の一のホームポジションセンサであり、（ＰＳＣ−Ａ）がこの発明の基準助走距離である。以下、ホームポジションセンサ１９ａを基準ホームポジションセンサという。一方、（ＰＳＣ−Ａ）'および（ＰＳＣ−Ａ）は、装置のメインスイッチがオンされたとき、第１図のフローチャートに示す動作によって自動的に設定される。
　第１図は上記（ＰＳＣ−Ａ）'、（ＰＳＣ−Ａ）の自動設定動作を示すフローチャートである。この動作は変倍複写機のメインスイッチがオンされるごとに行われる動作である。まずｎ３０ではスキャナの位置を判断しスキャナを左端へ移動させる。次にカウンタＣ３，Ｃ４をクリアし（ｎ３１）、スキャナをフィード方向（図示右方向）にスタートする（ｎ３２）。スタートとともにロータリーエンコーダが動作を開始し所定距離移動ごとにカウントパルスを入力する。カウントパルスが入力されるとｎ３３の判断でｎ３５以下の動作に進み、第３のホームポジションセンサ１９ｃの信号出力ＢＬＰ１および第２のホームポジションセンサ１９ｂの信号出力ＢＬＰ２がオフしているか否かを判断する（ｎ３５，ｎ３７）。ＢＬＰ１がオフしているときにはカウンタC3をカウントアップし、ＢＬＰ２がオフしているときにはカウンタＣ４をカウントアップする（ｎ３６，ｎ３８）。カウントパルスが入力されるごとにこの動作を繰り返し基準ホームポジションセンサ１９ａの信号出力ＭＨＰがオフしたときｎ３４からｎ３９以下に進む。ｎ３９ではカウンタＣ３の値を読み出しこのデータに基準助走距離である（ＰＳＣ−Ａ）を加えて（ＰＳＣ−Ａ）を算出し、ｎ４０では同様にカウンタＣ４の値を読み出して（ＰＳＣ−Ａ）'を算出する。これのデータはスレーブＣＰＵボード３１のメモリに記憶され、メインスイッチがオンされている間縮小複写時の助走距離として利用される。
　なお、上記動作において、必ずスキャナを左端に移動させ複写動作時のスキャン方向に移動させながら距離の計測を行うようにしたことにより、複写動作時と同様のセンサ立ち上がりによって測定することができ、毎回の測定誤差や複写動作時の測定時の誤差を無くすことができる。
　また、この変倍複写機においては複写プロセスの種々のタイミングを前記（ＰＳＣ−Ａ）等のカウントに基づいて行っている。」（第３頁下右欄第２０行〜第４頁下右欄第１行）
　
（エ）「第６図は上記スレーブＣＰＵボード３１の制御内容を示すためのタイムチャートである。最初に等倍以上の複写倍率における通常の複写動作について説明する。
　原稿台に通常の原稿がセットされ、図示しないコピーボタンが押下されると原稿スキャナが停止位置から移動しはじめる。このときの移動速度は複写倍率によって決まる。移動速度ＮＦの設定はスレーブＣＰＵボード３１がマスタＣＰＵボード３０から設定倍率のデータを受けることによって行う。スレーブＣＰＵボード３１がこの演算を行って移動速度ＮＦを決定し、スキャナを右方向に移動させるためにミラーモータ２９を駆動し始めると遮光板１８が基準ホームポジションセンサ１９ａをある時点で横切る。この時点をｔ２としスキャナのスタート時点をｔ１とする。スレーブＣＰＵボード３１は内部にカウンタとタイマを持っており、時間ｔ２になった時点でカウンタによってロータリーエンコーダから入力するパルスをカウントし始める。ＣＰＵボード３１は（ＰＳＣ−Ａ）に対応する数だけカウントしたとき、スキャナが原稿先端位置Ａに到達したものと判断する。この場合のカウンタは減算カウンタであり、あらかじめ（ＰＳＣ−Ａ）に対応するカウント値が入力され、次にロータリーエンコーダから一発のパルスを受け取る度にそのカウント値を１つ減算する。カウント値が０となった時点でカウントアップ信号を発生し、このカウントアップ信号によってスキャナが原稿先端位置Ａに到達したと判断する。このとき感光体ドラム６の露光点ａに原稿の先端位置の画像が露光されることになる。
　前記カウントアップ信号が発生すると続いてスレーブＣＰＵボード３１内のタイマが起動する。このタイマは露光点Ａの画像が速度ＮＤで転写部のｂ点（第２図参照）に到達するまでの時間と、転写紙の先端がＰＳローラ２２の位置から上記ｂ点に達するまでの時間を調整するものである。タイマ時間は感光体ドラム上の画像がａ点からｂ点までに達するまでの時間から上記ｂ点に達するまでの時間を引いた値となる。このタイマ時間を（ＰＳＣ−Ｂ）とする。スレーブＣＰＵボード３１がこのタイマを起動して（ＰＳＣ−Ｂ）の時間経過してタイムアップ信号を検出すると、ＰＳローラのクラッチＰＳＣ２４をオンする。この制御によってｂ点において感光体ドラム上に形成された画像の先端と、転写紙の先端とを一致させることができる。設定倍率が変化した場合にはスキャナの移動速度ＮＦが変わるが、ロータリーエンコーダで形成されるパルスはスキャナが一定の距離移動する度に一発形成されるため、その移動速度ＮＦに無関係に原稿先端位置Ａ点にスキャナが達した時点で必ずカウントアップ信号が発生する。」（第４頁下右欄第１６行〜第５頁下左欄第８行）
　
（オ）「次に縮小複写を行う際のタイミング制御について説明する。上記のように縮小複写時はスキャナの移動速度が大きいため、長い助走距離が必要となるが、さらに、縮小のトリミング複写を行う場合、以下の理由からながい助走距離が必要となる。
　第６図に示したようにＭＨＰがオンからオフ状態に変わる時点ｔ２よりカウンタの動作が開始されるが原稿先端の像が露光される感光体の位置がｃ点にある時点ｔ３は、当然ｔ３＞ｔ２でなければならない。すなわち、第４図においてΔＴ３４＜ΔＴ２４、これをパルス数に置き換えるならばｌ０＜（ＰＳＣ−Ａ）、また距離で表せば、
　ｌ０・Δｌ＜（ＰＳＣ−Ａ）・Δｌ
　ｌ０＝Ｘ0／（Δｌ・Ｚ）より、
　Ｘ０／Ｚ＜ＬＮ　　　　　　　　　…（１）
ここでＬＮは原稿スキャナがＭＨＰをオフしてから原稿先端の像が感光体ドラムの露光点ａに達するまで走行する距離である。（１）式より、縮小複写の場合、複写倍率が小さくなるほどＬＮの距離を長くする。具体的には複写倍率が０．８未満のとき第２図に示したホームポジションセンサ１９ｃを用い、複写倍率が０．８以上１．０未満のときホームポジションセンサ１９ｂを用いる。第７図に上記３つのホームポジションセンサの出力タイミングおよび除電ランプの点灯タイミングを示す。例えば複写倍率が０．８のとき、ホームポジションセンサ１９ｂの出力信号ＢＬＰ２が用いられるが、この信号がオフになった時点から所定カウント数（ＰＳＣ−Ａ）'のちに原稿スキャナは原稿先端位置に達する。また、原稿先端位置から感光体ドラムが距離Ｘ０回転する間に原稿スキャナが移動する間のパルス数ｌ０’手前のタイミングＡ０'を基準として除電ランプの点灯タイミングを決定する。
　このようなタイミング制御を行うスレーブＣＰＵの処理手順を第８図に示す。先ず複写倍率の範囲を判別して除電ランプのオン・オフタイミングを表すカウンタの値をＡ１，Ａ２として算出する（ｎ２，ｎ４，ｎ５）。その後、原稿スキャナをスタートさせるとともに複写倍率の範囲に応じたホームポジションセンサの状態を判別する（ｎ８，ｎ１０，ｎ１１）。例えば複写倍率が０．８未満のとき、信号ＢＬＰ１の状態を判別し、これがオフ状態になるまで待ち、オフ状態となったときカウンタＣ１にパルスのカウントを開始する（ｎ１３）。このカウント中に信号ＭＨＰがオフ状態となったなら、同時にカウンタＣ２のカウントも行う（ｎ１４）。Ｃ１の値が予め求めた値Ａ１に達したとき除電ランプをオンにし（ｎ１６）、Ａ２に達したとき除電ランプをオフする（ｎ１８）。またカウント中にＣ２の値が（ＰＳＣ−Ａ）に達したとき、すなわち、スキャナが原稿先端位置に達したとき前述の（ＰＳＣ−Ｂ）の時間後にペーパースタートクラッチＰＳＣをオンするためのタイマをスタートさせる（ｎ１９−ｎ２０）。このようにして縮小複写のときはＢＬＰ１またはＢＬＰ２の信号に基づいて除電ランプのオン・オフタイミングを制御するとともに、信号ＭＨＰに基づいて用紙の搬送開始制御を行う。」（第６頁上右欄第５行〜第７頁上左欄第４行）
　　
３．対比
　本願発明と引用例１に記載された発明とを対比するに、
　引用例１に記載された発明の「原稿」、「光源」、及び「原稿スキャナ」は、それぞれ、本願発明の「被写体」、「光源」、及び「読み取り手段」に相当することは、明かである（前記（ア）参照。）。
　引用例１には、
　「スキャナの移動速度をここではＮＦとし、また感光体ドラムの周速をＮＤとしている。倍率の変更は、レンズ１７のズーム調節とスキャナの移動速度ＮＦと感光体ドラム６の周速ＮＤとの速度比を変えることによって行う。倍率が等倍であればＮＤ／ＮＦ＝１となる。倍率が縮小の０．６４倍ではＮＤ／ＮＦ＝０．６４となり、拡大の１．４１倍であれば，ＮＤ／ＮＦ＝１．４１となる。感光体ドラム６の周速ＮＤは通常一定速度に保たれるから、上記の速度比を出すのにスキャナの移動速度を変えるようにする。」（前記（イ）参照。）　　　　　　　　　　　　　　　　　　　　「原稿台に通常の原稿がセットされ、図示しないコピーボタンが押下されると原稿スキャナが停止位置から移動しはじめる。このときの移動速度は複写倍率によって決まる。移動速度ＮＦの設定はスレーブＣＰＵボード３１がマスタＣＰＵボード３０から設定倍率のデータを受けることによって行う。スレーブＣＰＵボード３１がこの演算を行って移動速度ＮＦを決定し、スキャナを右方向に移動させるためにミラーモータ２９を駆動し始めると遮光板１８が基準ホームポジションセンサ１９ａをある時点で横切る。
（中略）
　設定倍率が変化した場合にはスキャナの移動速度ＮＦが変わるが、ロータリーエンコーダで形成されるパルスはスキャナが一定の距離移動する度に一発形成されるため、その移動速度ＮＦに無関係に原稿先端位置Ａ点にスキャナが達した時点で必ずカウントアップ信号が発生する。」（前記（エ）参照。）
との記載がなされており、これらの記載からみて、引用例１に記載された発明は、原稿を読み取る変倍率に応じた移動速度で原稿スキャナを原稿と相対的に移動させるものである。
　また、引用例１には、
　「まずｎ３０ではスキャナの位置を判断しスキャナを左端へ移動させる。
（中略）
　なお、上記動作において、必ずスキャナを左端に移動させ複写動作時のスキャン方向に移動させながら距離の計測を行うようにしたことにより、複写動作時と同様のセンサ立ち上がりによって測定することができ、毎回の測定誤差や複写動作時の測定時の誤差を無くすことができる。」（前記（ウ）、及び図面第１図参照。）
　「原稿台に通常の原稿がセットされ、図示しないコピーボタンが押下されると原稿スキャナが停止位置から移動しはじめる。
（中略）
　スキャナを右方向に移動させるためにミラーモータ２９を駆動し始めると遮光板１８が基準ホームポジションセンサ１９ａをある時点で横切る。この時点をｔ２としスキャナのスタート時点をｔ１とする。」（前記（エ）、及び図面第６図参照。）
　との記載がなされており、これらの記載からみて、引用例１に記載された発明の「左端」または「停止位置」、すなわち「スキャナのスタート時点ｔ１時の位置」は、スキャナの動作からみて、本願発明の「ホームポジション」に相当することは明かである。
　そして、引用例１に記載された発明の「ホームポジション１９ａ，１９ｂ，１９ｃ」は、本願発明の「第１の地点」に相当し、引用例１に記載された発明の「ホームポジション１９ａ，１９ｂ，１９ｃ」と原稿先端位置Ａとの間の距離（助走距離）、すなわち距離「（ＰＳＣ−Ａ）、（ＰＳＣ−Ａ）'、（ＰＳＣ−Ａ）」は、本願発明の「変倍率に応じた第１の距離」に相当することも明かである（前記（ウ）、及び図面第６図参照。）。
　そして、引用例１に記載された発明の「ホームポジション１９ａ，１９ｂ，１９ｃ」（本願発明の「第１の地点」に相当。）それぞれの位置は、原稿の先端位置Ａから助走距離「（ＰＳＣ−Ａ）、（ＰＳＣ−Ａ）'、（ＰＳＣ−Ａ）」（本願発明の「変倍率に応じた第１の距離」に相当。）を差し引いた地点となっている。
　
　そうすると、本願発明と引用例１に記載された発明とは、
　「被写体を照明する光源と、
　前記被写体像をラインセンサにより読み取る読み取り手段と、
　前記被写体像を読み取る変倍率に応じた移動速度で、前記読み取り手段を前記被写体像と相対的に移動させる移動手段と、
　前記読み取り手段が前記画像読み取り手段のホームポジションから第１の地点まで移動するとともに、その後前記被写体像先端の読み取り位置において前記変倍率に応じた所定の速度になるよう前記移動手段を制御する制御手段を有し、前記制御手段は第１の変倍率で走査する場合には該第１の変倍率に応じた第１の距離を決定し、前記第１の地点は前記被写体像先端の読み取り位置から前記第１の距離を差し引いた地点であることを特徴とする画像読み取り装置。」
である点で一致し、次の点で相違する。
　
（相違点）、
　本願発明は、第１の距離が、変倍率に応じてその都度計算により求められるのに対し、
　引用例１に記載された発明は、助走距離（ＰＳＣ−Ａ）、（ＰＳＣ−Ａ）'、（ＰＳＣ−Ａ）（本願発明の第１の距離に相当。）が、変倍率に応じて予め複数設定されている点。
　
４．当審の判断
　前記相違点について判断するに、原稿の読み取り位置における読取手段の移動速度が、変倍率に応じた所定の速度となるように助走距離を設定する点で、本願発明と引用例１に記載された発明との間に格別の差異はないのであるから、助走距離を変倍率に応じて予め定めておくか、または変倍率に応じ計算によりその都度定めるかは、設計事項の範囲内のことであり、当業者が適宜なし得ることである。
　また、原稿は通常その版に応じて原稿台の所定の位置に置かれるものであるから、審判請求書において本願発明の顕著な効果と主張している点は、当業者が予測できるものの域を出ない。
　
５．むすび
　以上のとおり、本願発明は、引用例１に記載された発明に基いて当業者が容易に発明をすることができたものであるから、特許法第２９条第２項の規定により特許を受けることができない。
　　よって、結論のとおり審決する。